(57)【特許請求の範囲】
【請求項１】
略矩形状の背板部と、
前記背板部の左右両側に一体に形成され前記背板部よりも最大前後厚の厚い一対の側縁支持部と、を有し、
前記側縁支持部の下縁に、下方から背凭れ支柱が嵌入される嵌合穴が形成されている椅子の背凭れにおいて、
前記側縁支持部の前記嵌合穴の形成部よりも上方側領域には、後面側の背凭れ幅方向の外側部分が肉抜きされて、前記背板部の前面に連続する薄肉の背板延長部と、該背板延長部の背凭れ幅方向の内側の端部から後方側に突出する補強リブと、が設けられ、
前記補強リブは、略上下方向に沿って延出するとともに、下端側の断面積が漸増して前記嵌合穴の形成部に接続されていることを特徴とする椅子の背凭れ。
【請求項２】
前記背板延長部の前面は、背凭れ幅方向の外側に向かって後方側に湾曲していることを特徴とする請求項１に記載の椅子の背凭れ。
【請求項３】
前記背板延長部の前記補強リブからの延出長さは、上端側に向かって漸減していることを特徴とする請求項１または２に記載の椅子の背凭れ。
【請求項４】
前記背板部と前記側縁支持部の上縁部は、後方側に向かって湾曲若しくは屈曲していることを特徴とする請求項３に記載の椅子の背凭れ。
【請求項５】
請求項１〜４のいずれか１項に記載の椅子の背凭れと、前記背凭れ支柱と、を備えていることを特徴とする椅子。
【発明の詳細な説明】
【技術分野】
【０００１】
この発明は、椅子の背凭れ、及び、椅子に関するものである。
【背景技術】
【０００２】
事務用等として用いられる椅子は、脚柱の上部に着座者の臀部を支持する座と、着座者の背部を支持する背凭れが取り付けられている。背凭れは、柔軟な接触感や着座者の背部に対するホールド性等が要求される。このような要求に対応する椅子の背凭れが従来から案出されている（例えば、特許文献１〜３参照）。
【０００３】
特許文献１に記載の椅子の背凭れは、略矩形状の背板部の左右の両側に、背板部よりも前後厚の厚い側縁支持部が一体に形成され、その側縁支持部の下縁に背凭れ支柱の嵌入される嵌合穴が設けられている。背凭れの左右の縁部は、嵌合穴部分で左右の背凭れ支柱に結合されている。この椅子の背凭れの場合、背板部の左右の両側に前後厚の厚い側縁支持部が上下方向に連続して設けられているため、着座者の上体の荷重が入力されると、背板部を柔軟に変形させつつ、左右の側縁支持部で剛性を保ち、乗員の上体を包み込むようにホールドすることができる。
【０００４】
また、特許文献２，３に記載の椅子の背凭れは、略矩形状の背板部の外周域が、背板部よりも剛性の高い枠部によって取り囲まれ、枠部の左右の側辺部分が背凭れ支柱に連結されている。この椅子の背凭れの場合、背板部を柔軟に変形させつつ、枠部で周域部の剛性を保つことができる。
【先行技術文献】
【特許文献】
【０００５】
【特許文献１】特許第４４９１１２４号公報
【特許文献２】特許第４２９５２６５号公報
【特許文献３】特開平２０１４−０９０９８８号公報
【発明の概要】
【発明が解決しようとする課題】
【０００６】
ところで、特許文献１〜３に記載の背凭れは、いずれも着座者が正規姿勢で着座して真直ぐ後方に凭れかかっているときには、着座者に違和感を与えることなく着座者の上体を包み込むようにホールドすることができる。
しかし、特許文献１〜３に記載の背凭れの場合、着座した乗員が上体を側方に曲げたり、捻ったりして背凭れに凭れたときに、着座者の上体が剛性の高い側縁支持部や枠部に当たり、着座者に圧迫感等の違和感を与えることが懸念される。
【０００７】
そこでこの発明は、着座者の上体が背凭れ幅方向の略中央位置に凭れたときには、着座者の上体を包み込むようにホールドでき、しかも、着座者の上体が左右に偏って凭れたときには、側縁支持部が柔軟に変形して着座者に与える違和感を無くすことができる椅子の背凭れ、及び、椅子を提供しようとするものである。
【課題を解決するための手段】
【０００８】
この発明に係る椅子の背凭れは、上記課題を解決するために、略矩形状の背板部と、前記背板部の左右両側に一体に形成され前記背板部よりも最大前後厚の厚い一対の側縁支持部と、を有し、前記側縁支持部の下縁に、下方から背凭れ支柱が嵌入される嵌合穴が形成されている椅子の背凭れにおいて、前記側縁支持部の前記嵌合穴の形成部よりも上方側領域には、後面側の背凭れ幅方向の外側部分が肉抜きされて、前記背板部の前面に連続する薄肉の背板延長部と、該背板延長部の背凭れ幅方向の内側端部から後方側に突出する補強リブと、が設けられ、前記補強リブは、略上下方向に沿って延出するとともに、下端側の断面積が漸増して前記嵌合穴の形成部に接続されるようにした。
【０００９】
これにより、着座者の上体が背凭れ幅方向の略中央位置に凭れたときには、背板部の中央領域が柔軟に変形しつつ、背板部の側部が側縁支持部の補強リブによって高い剛性をもって保持されるようになる。特に、補強リブは、下方の嵌合穴の形成部に比較すれば断面の剛性は低くなるものの、断面の剛性の高い嵌合穴の形成部に向かって断面積が漸増しているため、補強リブの上方側に作用する荷重を効率良く嵌合穴の形成部に支持させることができる。
一方、着座者の上体が左右に偏って凭れたときには、背板延長部が柔軟に変形して着座者の上体が当接することによる抵抗感を弱めることができる。また、背板延長部の後部に補強リブが部分的に突設されているものの、補強リブの剛性は嵌合穴の形成部に比較して低いことから、着座者の受ける抵抗力は小さくなる。
【００１０】
前記背板延長部の前面は、背凭れ幅方向の外側に向かって後方側に湾曲させることが望ましい。
この場合、着座者の上体が背板延長部の前面を押圧したときに、背板延長部が後方側に変形し易くなり、着座者の感じる抵抗感がより小さくなる。
【００１１】
また、前記背板延長部の前記補強リブからの延出長さは、上端側に向かって漸減するようにしても良い。
背凭れは、上端側に向かうほど背凭れ支柱による支持部から離間して外力に対して変形し易くなるが、この構造の場合、背板延長部の延出長さが上端側に向かって漸減しているため、背板延長部自体の側部後方側への変形量は上端側に向かうほど少なくなる。したがって、側縁支持部の上下方向での撓み易さをバランスさせ、側縁支持部の一部のみが大きく撓み変形するのを回避することができる。
【００１２】
さらに、前記背板部と前記側縁支持部の上縁部は、後方側に向かって湾曲若しくは屈曲するようにしても良い。
この場合、背凭れの上端部の剛性が湾曲若しくは屈曲する部分によって高められる。したがって、側縁支持部の上下方向での撓み易さをよりバランスさせることができる。
【００１３】
また、この発明に係る椅子は、前記いずれかに記載の椅子の背凭れと、前記背凭れ支柱と、を備えるようにした。
【発明の効果】
【００１４】
この発明によれば、着座者の上体が背凭れ幅方向の略中央位置に凭れたときには、背板部の柔軟な変形と補強リブの剛性とによって着座者の上体を包み込むようにホールドでき、しかも、着座者の上体が左右に偏って凭れたときには、側縁支持部が薄肉の背板延長部で柔軟に変形することにより、着座者に与える圧迫感等の違和感を無くすことができる。
【図面の簡単な説明】
【００１５】
【図１】この発明の一実施形態に係る椅子の正面図である。
【図２】この発明の一実施形態に係る椅子の側面図である。
【図３】この発明の一実施形態に係る椅子の図２のＩＩＩ−ＩＩＩ断面に対応する断面図である。
【図４】この発明の一実施形態に係る椅子の背凭れの部分断面正面図である。
【図５】この発明の一実施形態に係る椅子の図２のＶ−Ｖ部分を断面にした斜視図である。
【図６】この発明の一実施形態に係る椅子の背凭れの後面図である。
【図７】この発明の一実施形態に係る椅子の背凭れの図６のＶＩＩ−ＶＩＩ断面に対応する断面図である。
【図８】この発明の一実施形態に係る椅子の背凭れの図６のＶＩＩＩ−ＶＩＩＩ断面に対応する断面図である。
【図９】この発明の一実施形態に係る椅子の背凭れの図６のＩＸ−ＩＸ断面に対応する断面図である。
【発明を実施するための形態】
【００１６】
以下、この発明の一実施形態を図面に基づいて説明する。なお、以下の説明においては、椅子１に正規姿勢で着座した人の前方を「前」、それと逆側を「後」と呼ぶものとする。また、「上」，「下」と「左」，「右」については、椅子１に正規姿勢で着座した人の上方を「上」、それと逆側を「下」と呼び、椅子に正規姿勢で着座した人の左側方を「左」、それと逆側を「右」と呼ぶものとする。また、図中矢印ＦＲは前方を指し、矢印ＵＰは上方を、矢印ＬＨは左側方をそれぞれ指すものとする。
【００１７】
図１は、この実施形態に係る椅子１を正面から見た図であり、図２は、同椅子１を左側方から見た図である。また、図３は、椅子１の一部を断面にして上方側から見た図である。
これらの図に示すように、この実施形態に係る椅子１は、床面上に載置される脚部１０と、着座者の臀部を支持する座２０と、座２０の後方側に配置されて着座者の背部を支持する背凭れ３０と、を備えている。
【００１８】
脚部１０は、左右一対で構成される脚フレーム１１，１１と、これら左右の脚フレーム１１，１１同士を連結する前フレーム１２とを一体に備えている。脚フレーム１１，１１と前フレーム１２は、金属製のパイプ材によって形成されている。
【００１９】
左右の各脚フレーム１１は、下端から後方側に傾斜しつつ起立する前支柱部１３と、下端から前方側に傾斜しつつ起立する後支柱部１４と、前支柱部１３の上端部と後支柱部１４の延出方向の中途部とを連結する連結支柱部１５と、を有している。前支柱部１３と後支柱部１４の各下端には、床面上に転動可能に載置するためのキャスター１６が取り付けられている。連結支柱部１５は前端側の前支柱部１３との連接位置から後端側の後支柱部１４との連結位置に向かって斜め上方に緩やかに傾斜している。
また、後支柱部１４のうちの連結支柱部１５との連結位置によりも上方側領域は、背凭れ３０が取り付けられる取付ベース１８を構成している。
【００２０】
また、前フレーム１２は、左右方向に略水平に延出し、その両端部が左右の脚フレーム１１，１１の各前支柱部１３の上端部に連結されている。左右の脚フレーム１１，１１は、着座者の荷重が作用した状態での前部側の左右方向の開きを規制する。また、前フレーム１２は、座２０の前縁部の下面に当接することによって座２０の荷重を受け止める。なお、左右の脚フレーム１１，１１の後部側の左右方向の開きは、左右の後支柱部１４，１４（取付ベース１８，１８）が背凭れ３０に連結されることによって背凭れ３０で規制されている。
【００２１】
左右の後支柱部１４のうちの連結支柱部１５との連結位置と取付ベース１８との間には、前部下方側に延出して座２０の後縁部に連結される支持アーム部２９が延設されている。したがって、座２０は、前フレーム１２と支持アーム部２９を介して脚部１０に支持されている。また、左右の取付ベース１８，１８には、上方に突出して背凭れ３０の左右の下縁に連結される背凭れ支柱４０（図４，図５参照）と、前方に略水平に延出する肘掛け４１が延設されている。
【００２２】
背凭れ３０は、全体が合成樹脂によって一体に形成されている。背凭れ３０は、着座者の背部の荷重を受ける略矩形板状の背板部３１と、背板部３１の左右の側端部に一体に形成された一対の側縁支持部３２と、を備えている。側縁支持部３２は、上下方向の各高さ位置での最大前後厚が背板部３１の前後厚よりも厚く設定されている。
【００２３】
背板部３１は、全体がほぼ一定の肉厚に形成され、左右の側部における上下方向の略中間位置を除くほぼ全域に、当該背板部３１の変形を容易にするための複数の開口３４が形成されている。開口３４は、全体の殆どが略上下方向に沿う長孔状とされている。このため、背板部３１は、その前面側に着座者の背部から荷重が入力されると、幅方向の中央領域が後方に向かって柔軟に撓み変形する。
また、背板部３１は、幅方向の中央領域が後方側に緩やかに凹状に窪む湾曲形状に形成されるとともに、上端側に、後方側（反荷重受け側）に向かって略水平姿勢近くまで湾曲する湾曲部３５が延設されている。
【００２４】
図４，図５は、背凭れ３０の一部を断面にして示した図である。
背凭れ３０の左右の側縁支持部３２の下縁には、背凭れ支柱４０が嵌入される嵌合穴３３が形成されている。脚フレーム１１の後支柱部１４の上端の取付ベース１８には、背凭れ支柱４０の突出位置から背凭れ幅方向内側に向かって延出する締結片１９が一体に形成されている。締結片１９には、背凭れ３０を取付ベース１８にビス止めするためのビス孔１９ａが形成されている。
【００２５】
一方、背凭れ３０の側縁部の下面には、嵌合穴３３の背凭れ幅方向内側に隣接して長孔状の保持孔３６が形成され、その保持孔３６の底部側には、締結片１９の上面が突き当てられるボス部３７が一体に形成されている。締結片１９は、保持孔３６内に挿入された状態において、ボス部３７に突き当てられ、このボス部３７にビス３８によって締結固定される。背凭れ３０は、左右の側縁支持部３２の嵌合穴３３を左右の対応する背凭れ支柱４０に嵌合し、かつ、取付ベース１８の締結片１９を保持孔３６に挿入して締結片１９をボス部３７にビス止めすることにより、脚部１０に一体に連結される。保持孔３６に挿入された締結片１９は、背凭れ３０の下端側の側縁部に後方側に向かう大きな変形荷重が作用したときに、背凭れ支柱４０を中心とした背凭れ３０の側縁部の変形を抑制するように機能する。また、締結片１９は、背凭れ３０の上端部近傍に後方側に向かう変形荷重が作用したときに、背凭れ３０の上下方向の略中央部を支点として背凭れ３０の下端部が前方に変位するのを規制するようにも機能する。
【００２６】
ところで、背凭れ３０の左右の側縁支持部３２は、上下方向の略中央部を境として、背凭れ幅方向の幅が狭い上部領域と、その上部領域よりも背凭れ幅方向の幅が広い上部領域とに分かれている。背凭れ支柱４０が嵌入される嵌合穴３３は下部領域に形成されている。嵌合穴３３が形成される側縁支持部３２の下部領域は、背凭れ支柱４０の直径が背板部３１の厚みより充分に大きいことから、背板部３１の側部に略円筒状に膨出するようにして連設されている。側縁支持部３２の下部領域については、以下、支柱連結部５０と呼ぶものとする。支柱連結部５０の上端側の外側縁と、側縁支持部３２の上部領域の下端側の外側縁との間には、図４に示すように、正面視で下端から上方に向かって背凭れ幅方向内側に滑らかに湾曲する連設部４４が設けられている。
【００２７】
図６は、背凭れ３０の左側縁を後面側から見た図であり、図７〜図９は、背凭れ３０の左側縁の断面を示す図である。なお、以下では、背凭れ３０の側縁部の構造を図６〜図９を参照して説明するが、背凭れ３０の右側縁も左側縁と同様の構造とされている。
側縁支持部３２の支柱連結部５０よりも上方側領域には、後面側の背凭れ幅方向の外側部分が肉抜きされ、背板部３１と略同厚みで背板部３１の側端部から側方に延出する背板延長部５１と、背板延長部５１の背凭れ幅方向の内側の端部から後方側に突出する補強リブ５２と、が設けられている。
【００２８】
背板延長部５１と補強リブ５２は、背凭れ３０の略上下方向に沿って連続して形成されている。背板延長部５１の前面は、図７〜図９に示すように、背板部３１の前面に滑らかに連続し、かつ、背凭れ幅方向の外側の端部に向かって後方側に湾曲している。また、補強リブ５２は、下方に向かって断面積が漸増して、嵌合穴３３の形成部である支柱連結部５０の上端部に滑らかに連続している。
さらに、背板延長部５１の後面と補強リブ５２とは、背凭れ３０の幅方向に沿う断面視において、背凭れ幅方向の後側方に開口するように、滑らかに湾曲して形成されている。
【００２９】
また、背板延長部５１の補強リブ５２からの延出長さは、図７〜図９に示すように、背凭れ３０の上端側に向かって漸減している。背板延長部５１と補強リブ５２とは、背凭れ３０の上端部において背板部３１側に向かって湾曲し、背板部３１の上端の湾曲部３５に接続されている。
【００３０】
以上のように、この実施形態に係る椅子１の背凭れ３０は、背板部３１の左右両側に側縁支持部３２が設けられ、その側縁支持部３２の下端が嵌合穴３３を介して左右の背凭れ支柱４０に支持されている。側縁支持部３２は、背凭れ支柱４０に剛的に支持される支柱連結部５０の上部に補強リブ５２が上下方向に連続するように形成されているため、背板部３１の背凭れ幅方向の略中央にかかる背凭れ荷重を高い剛性をもって支持することができる。
【００３１】
具体的には、着座者の上体が背凭れ３０の略中央位置に凭れたときには、背板部３１の中央領域が後方側に柔軟に変形しつつ、背板部３１の側部が側縁支持部３２の支柱連結部５０とその上方に連続する補強リブ５２とによって高い剛性をもって保持されるようになる。このとき、側縁支持部３２の補強リブ５２は、下方の支柱連結部５０に比較すれば断面の剛性が低くなっているものの、断面の剛性の高い支柱連結部５０に向かって断面積が漸増する構造とされているため、背板部３１から補強リブ５２の上方側に作用する荷重を効率良く支柱連結部５０に支持させることができる。
したがって、この実施形態に係る背凭れ３０を採用した場合には、背板部３１の柔軟な変形と補強リブ５２の剛性とによって着座者の上体を包み込むように確実にホールドすることができる。
【００３２】
また、この実施形態に係る椅子１の背凭れ３０は、側縁支持部３２の支柱連結部５０の上方側に薄肉の背板延長部５１が設けられ、背板延長部５１の背凭れ幅方向の端部から離間した位置に補強リブ５２が突設されている。このため、側縁支持部３２の背凭れ幅方向の端縁に着座者の上体が触れたときには、その部分が柔軟に変形して抵抗力を弱めることができる。
【００３３】
具体的には、着座者の上体が背凭れ３０の左右に偏って凭れたときには、補強リブ５２の全体が後方側に緩やかに湾曲しつつ、薄肉の背板延長部５１が後方側に柔軟に変形し、それによって着座者の上体が当接することによる抵抗力が弱められる。ここで、補強リブ５２は、着座者が正規姿勢で着座しているときには、上下方向の全域で充分な剛性をもって背凭れ荷重を支持できるように設定されているものの、側縁支持部３２の下方の支柱連結部５０に比較すれば断面積が小さい分剛性が小さくなっている。このため、着座者の上体が背板延長部５１のうちの補強リブ５２の前面位置に当接することがあっても、着座者の受ける押圧感は小さくなる。
したがって、この実施形態に係る背凭れ３０を採用した場合には、着座者に与える圧迫感等の違和感を無くすことができる。
【００３４】
また、この実施形態に係る背凭れ３０では、背板延長部５１の前面が、背凭れ幅方向の外側に向かって後方側に湾曲している。このため、着座者の上体が背板延長部５１の前面を押圧したときに、背板延長部５１が後方側に変形し易くなり、着座者の受ける圧迫感がより小さくなる。
【００３５】
さらに、この実施形態に係る背凭れ３０においては、背板延長部５１の補強リブ５２からの延出長さが上端側に向かって漸減している。このため、着座者の背凭れ荷重が背凭れ３０の上隅部付近に集中したときにも、背凭れ３０の上隅部が後方側に極端に大きく変形するのを抑制することができる。即ち、背凭れ３０は、上端側に向かうほど支柱連結部５０からの離間距離が長くなって外力を受けたときの変形量が大きくなるが、この実施形態では、背板延長部５１の補強リブ５２からの延出長さを上端側に向かって漸減させることにより、側縁支持部３２の上下方向での撓み易さをバランスさせている。したがって、この実施形態に係る背凭れ３０の構造を採用することにより、側縁支持部３２の一部のみが大きく撓み変形するのを回避することができる。
【００３６】
さらに、この実施形態の場合、背板部３１の上端部に後方に向かって湾曲する湾曲部３５が設けられ、側縁支持部３２の上端部がその湾曲部３５に連続している。これにより、側縁支持部３２の上端部の剛性が湾曲部３５によってより高められることから、側縁支持部３２の上下方向での撓み易さをよりバランスさせることができる。背板部３１の上端には、湾曲部３５を設けるのに代えて屈曲部を設けるようにしても良い。
【００３７】
また、この実施形態に係る背凭れ３０においては、支柱連結部５０の上端側の外側縁と、側縁支持部３２の上部領域の下端側の外側縁との間に、下端から上方に向かって背凭れ幅方向内側に滑らかに湾曲する連設部４４が設けられているうえ、背板延長部５１の後面と補強リブ５２とが背凭れ幅方向の後側方に開口するように、滑らかに湾曲して形成されている。このため、背凭れ３０の上部に後方側に向かう荷重が入力されたときに、側縁支持部３２の各部に応力集中が生じにくくなる。即ち、側縁支持部３２のいずれかの部位に角部が存在すると、荷重の入力時のその角部に応力が集中し易くなるが、この実施形態の場合、上記のように側縁支持部３２の各部が滑らかに湾曲する形状とされているため、応力集中を回避することができる。したがって、この実施形態の構造を採用することにより、背凭れ３０の上部に後方側に向かう荷重が入力されたときに、側縁支持部３２の全域をバランス良く撓み変形させることができる。
【００３８】
また、この実施形態に係る背凭れ３０の場合、背板部３１の左右の側部における上下方向の略中間位置（支柱連結部５０の上端側の連設部４４の近傍）に、複数の開口３４の形成されない領域が設けられている。このため、背凭れ３０の背凭れ３０の上部領域が、下部領域との境界部付近（連設部４４の近傍）を支点として後方に変位したときに、開口３４の端部に過大な応力が作用して背板部３１が劣化するのを未然に防止することができる。
【００３９】
なお、この発明は上記の実施形態に限定されるものではなく、その要旨を逸脱しない範囲で種々の設計変更が可能である。
【符号の説明】
【００４０】
１  椅子
３０  背凭れ
３１  背板部
３２  側縁支持部
３３  嵌合穴
４０  背凭れ支柱
５１  背板延長部
５２  補強リブ
【図１】
0006429373.tif 000002
【図２】
0006429373.tif 000003
【図３】
0006429373.tif 000004
【図４】
0006429373.tif 000005
【図５】
0006429373.tif 000006
【図６】
0006429373.tif 000007
【図７】
0006429373.tif 000008
【図８】
0006429373.tif 000009
【図９】
0006429373.tif 000010